(57)【要約】【課題】記録媒体の残容量が不足するような場合は、ユーザに対して通知を行い、対応を促す。【解決手段】所定の操作を行う場合に、記録部の残記録可能容量と記録モードごとの平均記録ビットレートと記録部に予約登録された番組の記録時間と記録モードを取得し、予約登録された番組ごとに必要記録容量を算出し、予約登録された番組の必要記録容量の総和と記録部の残記録可能容量とを比較し、必要記録容量の総和が残記録可能容量未満の場合、所定の操作を継続させる記録管理部１３ａと、必要記録容量の総和が残記録可能容量以上の場合、記録部の残記録可能容量不足のメッセージと共に記録を中止させる第１の選択肢と、登録済み予約の編集又は消去を行う第２の選択肢と、記録を継続させる第３の選択肢を表示させる表示部と、第１〜３の選択肢を選択操作するキー入力受付部とを備え、ユーザに対応を促す。【選択図】図２
2007124260.tif 000002
【特許請求の範囲】
【請求項１】
放送番組を記録する記録部を備えた記録装置と、前記記録装置の記録部で記録する放送番組の予約設定を行うリモートコントロール装置で構成される番組予約システムにおいて、
所定の操作を行う場合に、前記記録部の残記録可能容量と記録モードごとの平均記録ビットレートと前記記録部に予約登録された番組の記録時間と前記記録モードを取得し、予約登録された番組ごとに前記記録時間と記録モードと平均記録ビットレートから必要記録容量を算出し、予約登録された番組の必要記録容量の総和と前記記録部の残記録可能容量とを比較し、前記必要記録容量の総和が前記残記録可能容量未満の場合、前記所定の操作を継続させる記録管理部と、
前記必要記録容量の総和が前記残記録可能容量以上の場合、前記記録部の残記録可能容量不足のメッセージと共に記録を中止させる第１の選択肢と、登録済み予約の編集又は消去を行う第２の選択肢と、記録を継続させる第３の選択肢を表示させる表示部と、
前記表示部に表示させた第１〜３の選択肢のうち、前記第１の選択肢を選択した場合、前記所定の操作を中止し、前記第２の選択肢を選択した場合、予約登録された番組の編集又は消去を行い、前記第３の選択肢を選択した場合、前記所定の操作を継続させる操作部とを備えることを特徴とする
番組予約システム。
【請求項２】
請求項１記載の番組予約システムにおいて、
前記所定の操作は、取り外し可能な外部記録媒体を装着し、前記外部記録媒体に記録されたデータを前記記録部に記録させる操作であることを特徴とする
番組予約システム。
【請求項３】
請求項１記載の番組予約システムにおいて、
前記所定の操作は、予約登録された番組の動画及び／又は音声を前記記録部に記録させる操作であることを特徴とする
番組予約システム。
【請求項４】
請求項３記載の番組予約システムにおいて、
前記所定の操作途中で、前記記録部の残記録可能容量から前記必要記録容量を減じて記録可能時間を算出し、所定の記録可能時間以下に達した場合、前記記録部の残記録可能容量が不足しているメッセージを前記表示部に通知することを特徴とする
番組予約システム。
【請求項５】
請求項３記載の番組予約システムにおいて、
前記所定の操作途中で、前記記録部の残記録可能容量が、前記記録部全体の容量の所定割合以下に達した場合に、前記記録部の残記録可能容量が不足しているメッセージを前記表示部に通知することを特徴とする
番組予約システム。
【請求項６】
請求項３記載の番組予約システムにおいて、
所定のイベントが発生した時に、前記記録部の残記録可能容量の確認を行い、前記表示部に通知することを特徴とする
番組予約システム。
【請求項７】
放送番組を記録する記録部を備えて、前記記録部で記録する放送番組の予約設定が可能な記録装置において、
所定の操作を行う場合に、前記記録部の残記録可能容量及び記録モードごとの平均記録ビットレートと前記記録部に予約登録された番組の記録時間と前記記録モードを取得し、予約登録された番組ごとに前記記録時間と記録モードと平均記録ビットレートから必要記録容量を算出し、予約登録された番組の必要記録容量の総和と前記記録部の残記録可能容量とを比較し、前記必要記録容量の総和が前記残記録可能容量未満の場合、前記所定の操作を継続させる記録管理部と、
前記必要記録容量の総和が前記残記録可能容量以上の場合、前記記録部の残記録可能容量不足のメッセージと共に記録を中止させる第１の選択肢と、登録済み予約の編集又は消去を行う第２の選択肢と、記録を継続させる第３の選択肢を表示させる表示部と、
前記表示部に表示させた第１〜３の選択肢のうち、前記第１の選択肢を選択した場合、前記所定の操作を中止し、前記第２の選択肢を選択した場合、予約登録された番組の編集又は消去を行い、前記第３の選択肢を選択した場合、前記所定の操作を継続させる操作部とを備えることを特徴とする
記録装置。
【請求項８】
放送番組を記録する記録部を備えた記録装置に対して、記録の予約設定が可能なコントローラ装置において、
所定の操作を行う場合に、前記記録部の残記録可能容量と記録モードごとの平均記録ビットレートと前記記録部に予約登録された番組の記録時間と前記記録モードを取得し、予約登録された番組ごとに前記記録時間と記録モードと平均記録ビットレートから必要記録容量を算出し、予約登録された番組の必要記録容量の総和と前記記録部の残記録可能容量とを比較し、前記必要記録容量の総和が前記残記録可能容量未満の場合、前記所定の操作を継続させる記録管理部と、
前記必要記録容量の総和が前記残記録可能容量以上の場合、前記記録部の残記録可能容量不足のメッセージと共に記録を中止させる第１の選択肢と、登録済み予約の編集又は消去を行う第２の選択肢と、記録を継続させる第３の選択肢を表示させる表示部と、
前記表示部に表示させた第１〜３の選択肢のうち、前記第１の選択肢を選択した場合、前記所定の操作を中止し、前記第２の選択肢を選択した場合、予約登録された番組の編集又は消去を行い、前記第３の選択肢を選択した場合、前記所定の操作を継続させる操作部とを備えることを特徴とする
コントローラ装置。
【発明の詳細な説明】
【技術分野】
【０００１】
本発明は、例えば番組の録画予約を行う場合に、適切な予約操作を行い、番組を記録することが可能な番組予約システム、コンテンツを記録可能な記録装置及び制御信号を伝送して番組を録画予約設定することが可能なコントローラ装置に関する。
【背景技術】
【０００２】
近年、情報化技術の進展に伴い、家庭内の複数の電子機器をＬＡＮ（Local Area Network）等のネットワークで相互接続し、電子機器間で情報を共有、制御する技術が用いられるようになってきた。
【０００３】
テレビジョン放送を記録可能な記録装置として、大容量の記録媒体であるＨＤＤ（Hard Disk Drive）レコーダが実用化されている。ＨＤＤレコーダの記録容量は数百ギガバイトにも達するため、番組を長時間で録画することが可能である。また、ランダムでの検索性能も優れているため、広く家庭内に普及し始めている。
【０００４】
ここで、録画や録音等の予約設定を事前に行い、設定された時刻に達した時に指定されたコンテンツの記録を記録媒体に行う番組予約システムがある。このような番組予約システムは、例えばＨＤＤレコーダを用いて構成してあり、ＨＤＤ等の大容量記録媒体を内蔵、又は外部ネットワークに接続することで動画、音声等のデータ量の大きいコンテンツを記録することが可能である。また、近年、取り外し可能な記憶媒体として各種のリムーバブルメディアが提供されている。そして、ユーザは、例えばデジタルスチルカメラで撮影した写真、動画やコンピュータ装置から取り込んだ音楽等をリムーバブルメディアに保存し、番組予約システムにリムーバブルメディアを接続することで写真、動画、音楽ファイル等をＨＤＤレコーダにコピーすることが可能となった。また、コピーした写真、動画、音声ファイルを再生し、ＨＤＤレコーダに接続したテレビジョン受像機に表示させたり、音声出力を行わせることもできる。
【０００５】
特許文献１には、ネットワーク接続された録画予約機能を備えた情報処理装置間の動作を連携させて、予約記録の設定操作を行うための技術についての記載がある。
【０００６】
特許文献２には、２以上の情報処理装置間における動作をホームネットワーク経由で好適に連携させることにより、別々の場所に設定されている各機器における録画予約操作を行うための技術についての記載がある。
【特許文献１】特開２００５−２４４３７２号公報（図１）
【特許文献２】特開２００５−２４４５７６号公報（図１）
【発明の開示】
【発明が解決しようとする課題】
【０００７】
ところで、従来の番組予約システムにおいて、一度予約登録を行うと、その後は、記録媒体の残容量の確認を行うことはなかった。このため、ユーザが記録媒体の残容量を消費するような予約とは別の録画操作やファイルのコピー操作等を行うと、予約された時刻に達した時に記録媒体の残容量が足りなくなってしまい、予約した番組を完全に記録することができなくなることがあった。
【０００８】
また、ＨＤＤレコーダをネットワーク回線に接続し、コンテンツを対象とした操作をネットワーク経由で行うことも可能である。しかしながら、このようなネットワークに接続したＨＤＤレコーダを用いた場合、ユーザがＨＤＤレコーダに対して操作を行わなくてもネットワーク経由で別の機器からコンテンツをコピーされる等により、記録媒体の残容量を消費してしまうことがあった。このため、予約された時刻に達した時に記録媒体の残容量が足りなくなってしまうことがあった。
【０００９】
本発明はこのような状況に鑑みて成されたものであり、記録媒体の残容量が不足するような場合は、ユーザに対して通知を行い、対応を促すようにすることを目的とする。
【課題を解決するための手段】
【００１０】
本発明は、所定の操作を行う場合に、記録部の残記録可能容量と記録モードごとの平均記録ビットレートと記録部に予約登録された番組の記録時間と記録モードを取得し、予約登録された番組ごとに記録時間と記録モードと平均記録ビットレートから必要記録容量を算出し、予約登録された番組の必要記録容量の総和と記録部の残記録可能容量とを比較し、必要記録容量の総和が残記録可能容量未満の場合、所定の操作を継続させる記録管理部と、必要記録容量の総和が残記録可能容量以上の場合、記録部の残記録可能容量不足のメッセージと共に記録を中止させる第１の選択肢と、登録済み予約の編集又は消去を行う第２の選択肢と、記録を継続させる第３の選択肢を表示させる表示部と、表示部に表示させた第１〜３の選択肢のうち、第１の選択肢を選択した場合、所定の操作を中止し、第２の選択肢を選択した場合、予約登録された番組の編集又は消去を行い、第３の選択肢を選択した場合、所定の操作を継続させる操作部とを備える。
【００１１】
このようにしたことで、既に予約設定済みの全ての予約が実行された場合の必要記録容量を計算し、記録媒体の残記憶容量が不足している場合や、不足しそうな場合に通知を行う事で、現在行われている記録媒体の容量を消費する動作を中止したり、予約を変更する等の対処が可能になる。
【発明の効果】
【００１２】
本発明によれば、既に予約設定済みの全ての予約が実行された場合の必要記録容量を計算し、記録部の残容量が不足している場合や、不足しそうな場合に警告メッセージを発すること、現在行われている記録部の容量を消費する動作を中止したり、予約を変更又は消去する等の対処を行うことができ、記録部の残容量の減少を防ぐことができるという効果がある。
【発明を実施するための最良の形態】
【００１３】
以下、本発明の一実施の形態を、添付図面を参照して説明する。本実施の形態では、ハードディスクドライブなどの記録媒体を内蔵又は外部に接続し、録画や録音の予約設定が可能なＨＤＤレコーダとリモートコントロール装置とを相互にネットワーク接続してあり、録画予約登録済みのＨＤＤレコーダに対して、新たに別のコンテンツをＨＤＤレコーダに記録する場合に、予約実行に必要な記録容量と現在の残記録可能容量とを比較し、残容量不足であればユーザに所定の対応を促すことができる番組予約システムを例に説明する。
【００１４】
まず、本例の番組予約システムの構成例について、図１を参照して説明する。大容量の記録媒体としてハードディスクドライブ１６を備えるＨＤＤレコーダ１と、ＨＤＤレコーダ１を遠隔制御すると共に、ＨＤＤレコーダ１の記録状況と、各予約の予約日、開始時間、終了時間、チャンネル、記録モード等で構成される予約リスト、ステータス、エラー情報等を受信可能なリモートコントロール装置２が、ネットワーク回線３によりローカルネットワークを構築してあり、双方向通信可能である。このように構成したシステムを番組予約システム１００としている。ＨＤＤレコーダ１は、ネットワーク回線３を経由してリモートコントロール装置２へ録画関連情報の提供を行う機能を有する。また、リモートコントロール装置２は、ネットワーク経由でＨＤＤレコーダ１に対して録画予約の設定を行う事が可能である。リモートコントロール装置２は、ＨＤＤレコーダ１から取得したハードディスクドライブ１６の残記録容量不足を警告画面に表示する表示部２１を備えており、ユーザに録画の中止、登録済み予約の編集、消去等の対応を促すことができる。なお、本例のネットワーク回線３は、図示しないがルータ等の接続部を介してインターネットに接続し、各種のデータを取得することもできる。
【００１５】
ＨＤＤレコーダ１は、図示しないアンテナからテレビジョン放送電波を受信し、選局や同調操作を行うチューナ１７で希望する放送局を選局する。そして、選局した映像・音声信号をエンコード処理を施すエンコード部１８に供給する。所定の記録モード（例えば、高画質、標準、長時間のいずれか）でエンコードされた映像・音声信号は、ハードディスクドライブ１６に記録される。映像・音声信号を記録する際には、ハードディスクドライブ１６に記録可能な空き容量が必要であり、これを残記録容量と称する。また、複数のチューナを備えることで同時間帯に複数の番組を記録することが可能であり、記録可能な番組数を同時記録可能数と称する。また、記録モードごとに記録時のビットレートは異なっており、ビットレートが高いほど、高画質で記録可能である。そして、記録した番組の記録モードごとに平均ビットレートを記録するようにしている。平均ビットレートはＤＶＤレコーダ１の記録履歴から求めた平均値または、記録モード毎に妥当な値を固定値で記録してある。
【００１６】
ＨＤＤレコーダ１に備えてあるハードディスクドライブ１６には、現在の残記録容量、同時間帯で記録可能な同時記録可能数、各記録モードの平均ビットレートを記録するコンテンツ管理部１６ａと、ユーザが録画予約を設定した予約リストの情報を記録する予約リスト管理部１６ｂが構築してある。操作キー、ボタンを備えたキー入力受付部１２からのユーザ操作、あるいはリモートコントロール装置２からのネットワークインタフェース部１４を介したユーザ操作より、ＨＤＤレコーダ１内の各部を制御するマイクロコンピュータ１３は、所定の処理を実行する。ＨＤＤレコーダ１には、日付、時刻を設定してある図示しない時計部からマイクロコンピュータ１３に日時情報を供給して、番組の予約、録画等が可能となる。メモリ１５には、例えば書換え可能なＲＡＭ（Random Access Memory）を用いて、一時的にデータを保存する。また、メモリ１５には、例えば読出しのみ可能なＲＯＭ（Read Only Memory）を用いてあり、処理プログラム、パラメータ、操作キーに対応するコード等が記憶してある。
【００１７】
マイクロコンピュータ１３は、メモリ１５より処理プログラム等を読出し、実行し、実行結果を液晶ディスプレイパネルを備えた表示部１１に表示したり、図示しないテレビジョン受像機に画面表示させるため外部インタフェース部１７に映像信号、あるいはハードディスクドライブ１６に記録した番組をデコードし、映像・音声信号を出力したりする。また、取り外し可能な記憶媒体としてリムーバブルメディア１９に、例えば静止画、動画、音声ファイル等が記録してある。リムーバブルメディア１９をＨＤＤレコーダ１に備えたリムーバブルメディアインタフェース部２０に挿入することで、データを読み出し、このデータをハードディスクドライブ１６に書き込むコピー処理を行うことが出来る。
【００１８】
リモートコントロール装置２は、ＨＤＤレコーダ１に対して所定の制御信号を伝送することでＨＤＤレコーダ１を遠隔操作可能である。キー入力受付部２２に設けてある各キーから入力されたキーコードは、リモートコントロール装置２の内部制御を行なうマイクロコンピュータ２３に供給される。メモリ２５には、例えば、書換え可能なＲＡＭを用いて、一時的にデータを保存する。また、メモリ２５には、例えば、読出しのみ可能なＲＯＭを用いて、処理プログラム、パラメータ、操作キーに対応するコード等が記憶してある。マイクロコンピュータ２３は、メモリ２５より処理プログラム等を読出し、実行し、ネットワークインタフェース部２４に所定のリモートコントロール信号を供給する。また、ネットワークインタフェース部２４では、ＨＤＤレコーダ１からの受信信号を復調処理して、マイクロコンピュータ２３に供給する。
【００１９】
マイクロコンピュータ２３は、ＨＤＤレコーダ１から予約情報やハードディスクドライブ１６の残記録情報を受信し、液晶ディスプレイパネルで表示可能な表示部２１に予約設定画面や容量不足の警告画面を表示させるよう制御する。また、ＨＤＤレコーダ１と同様に、取り外し可能な記憶媒体としてリムーバブルメディア２７を、モートコントロール装置２に装着することができる。リムーバブルメディア２７には、例えば静止画、動画、音声ファイルが記録されている。リムーバブルメディア２７は、リモートコントロール装置２に備えたリムーバブルメディアインタフェース部２６に挿入することで、データが読み出される。読み出されたデータは、ネットワークインタフェース部２４を介して、ＨＤＤレコーダ１に送出され、このデータをハードディスクドライブ１６に書き込むコピー処理を行うことが出来る。
【００２０】
次に、本例の番組予約システム１００の機能上から見た構成例について、図２を参照して説明する。番組予約システム１００では、リモートコントロール装置２からの録画指定による画像・音声記録と、リムーバブルメディア１９からのファイルコピーによるデータ記録が行われる。
【００２１】
＜リモートコントロール装置を用いた録画指定における構成＞
まず、リモートコントロール装置からの録画指定による画像・音声を記録する構成について説明する。リモートコントロール装置２を用いて録画を実行する場合、まず、ユーザがリモートコントロール装置２の録画を開始する録画コマンドをキー入力受付部２２により指定する。すると、キー入力受付部２２から表示部２１及びキー入力受付部２２の制御を行う表示・入力処理部２３ａにキー受付情報が供給される。表示・入力処理部２３ａではキー受付情報を、録画コマンドの作成及びＨＤＤレコーダからの各種ステータスを受信し、解釈するコマンド・ステータス処理部２３ｂに供給する。コマンド・ステータス処理部２３ｂは、所定の形式で録画コマンドを作成し、ネットワークインタフェース部２４を経由してＨＤＤレコーダ１に、録画コマンドを送出する。
【００２２】
ＨＤＤレコーダ１では、ネットワークインタフェース部１４を経由して、ユーザコマンドまたは各種ステータスを受け付けるコマンド・ステータス処理部１３ｂが録画コマンドを受け付ける。そして、予約録画、残記録容量からハードディスクドライブ１６の記録領域を管理する記録管理部１３ａに録画コマンドの内容が送られる。記録管理部１３ａでは、予約リスト管理部１６ｂから現在予約登録済みの番組を示す予約リストを取得し、コンテンツ管理部１６ａから各記録モードの平均ビットレート情報を取得する。これらの情報を基にして、記録管理部１３ａは、全ての登録済みの予約に必要な予約必要記録容量とコピー処理に必要なコピー容量の総和を計算する。
【００２３】
そして、チューナ１７で選局した放送局のエンコードをエンコード部１８で開始する。エンコード部１８でのエンコードした受信信号は、コンテンツ管理部１６ａに供給されることでハードディスクドライブ１６に記録される。また、記録管理部１３ａが、コンテンツ管理部１６ａから逐次ハードディスクドライブ１６の残容量を取得する。そして、残容量が少ない場合は、コマンド・ステータス処理部１３ｂでステータスを作成してネットワークインタフェース部１４からリモートコントロール装置２にステータスを送出する。リモートコントロール装置２では、ネットワークインタフェース部２４を経由してコマンド・ステータス処理部１３ｂがステータスを受信する。そして、表示・入力処理部２３ａにステータスを送出して表示部２１で残容量不足の警告メッセージを表示させる。
【００２４】
＜リムーバブルメディアを用いたファイルコピーにおける構成＞
次に、リムーバブルメディア１９からファイルをコピー処理してハードディスクドライブ１６に記録する構成について説明する。ユーザがファイルのコピー処理をキー入力受付部１２から選択する。すると、ユーザコマンドまたは各種ステータスを受け付けるコマンド・ステータス処理部１３ｂに受け付けたキー入力情報が供給され、予約録画、残記録容量からハードディスクドライブ１６の記録領域を管理する記録管理部１３ａにコピー処理のリクエストが送られる。記録管理部１３ａは、記録可否の判定を行うために、ＨＤＤレコーダ１に装填したリムーバブルメディア１９からのファイル情報をリムーバブルメディアインタフェース部２０を介して取得する。同時に、予約リスト管理部１６ｂから現在予約登録済みの番組を示す予約リスト情報を取得し、コンテンツ管理部１６ａから各記録モードの平均ビットレート情報を取得する。これらの情報を基にして、記録管理部１３ａは、全ての登録済みの予約に必要な予約必要記録容量とコピー処理に必要なコピー容量の総和を計算する。
【００２５】
そして、記録管理部１３ａは、コンテンツ管理部１６ａから残記録容量を取得し、残記録容量と必要容量の総和との比較を行う。そして、残容量が足りる場合、または残容量不足であっても無視してコピー処理を実行する場合は、リムーバブルメディア１９からコンテンツ管理部１６ａへ記録管理部１３ａを経由してファイルのコピー処理を実行する。一方、残容量が不足している場合は残容量が不足している旨を表す警告メッセージをＨＤＤレコーダ１２の表示部１２に表示させる。また、このときの警告メッセージは、ＨＤＤレコーダ１に接続した図示しないテレビジョン受像機等のディスプレイ画面に表示させることもできる。
【００２６】
＜リモートコントロール装置を用いた録画指定の処理例＞
次に、リモートコントロール装置２を用いて、現在受信中のチャンネルの番組録画を指示する場合に行われるＨＤＤレコーダ１とリモートコントロール装置２との処理例について、図３を参照して説明する。図３は、リモートコントロール装置２を用いた番組録画の処理例を示したフローチャートである。
【００２７】
初めに、現在ＨＤＤレコーダ１で受信中のチャンネルを録画する為に、ユーザはリモートコントロール装置２のキー入力受付部２２を操作して、録画コマンドをＨＤＤレコーダ１に送る（ステップＳＴ１）。ＨＤＤレコーダ１では以後、録画が終了するまで継続的にハードディスクドライブ１６の記録容量のチェックを行う（ステップＳＴ２）。
【００２８】
次に、予約リスト管理部１６ｂより予約リストを取得する（ステップＳＴ３）。そして、既に登録済みの全ての予約を実行するために必要な記録容量を以下の式を用いて計算する（ステップＳＴ４）。
各予約の必要記録容量＝（各予約の記録時間）×（予約ごとに指定された記録モードの平均ビットレート）
全予約実行に必要な記録容量＝（各予約の必要記録容量の総和）
【００２９】
そして、録画を開始し、チューナ１７から受信した信号を順次、エンコード部１８でエンコードして（ステップＳＴ５）、ハードディスクドライブ１６に保存する（ステップＳＴ６）。ハードディスクドライブ１６の現在の残容量と、全予約実行に必要な記録容量を比較する（ステップＳＴ７）。
【００３０】
録画中にハードディスクドライブ１６の残容量が、全予約実行に必要な記録容量以下になった場合は、残容量不足のメッセージをリモートコントロール装置２の表示部２１に表示させる（ステップＳＴ９）。このとき、表示部２１には、後述する図４の警告メッセージが表示され、ユーザは対応を選択する（ステップＳＴ１０）。
【００３１】
「実行中の録画を中止する」を選択する（ステップＳＴ１１）と、録画処理は中止される。「登録済みの予約を編集・消去する」を選択する（ステップＳＴ１２）と、予約リストを表示させ、登録済みの予約について記録モードを落としたり、記録時間を短くしたりする編集操作、予約を取り消す消去操作を行って全予約実行に必要な記録容量を増加させる。「無視して録画を続ける」を選択する（ステップＳＴ１３）と、録画処理自体は継続するが、ハードディスクドライブ１６の残容量は減少していくため、番組の録画は途中で中断してしまう。
【００３２】
一方、ハードディスクドライブ１６の現在の残容量が、全予約実行に必要な記録容量より大きい場合は録画処理を継続する。そして、録画終了を判断する（ステップＳＴ８）。例えば、録画している番組が終了、またはユーザが録画の中止を決定すると録画処理は終了する。一方、録画終了でない場合は、録画終了までステップＳＴ５〜７の受信信号エンコードとハードディスクドライブ１６に保存し、現在の残容量と、全予約実行に必要な記録容量を比較する処理を繰返す。
【００３３】
ここで、リモートコントロール装置２を用いた番組録画の処理において、ハードディスクドライブ１６の残容量が不足した場合の画面表示例について、図４を参照して説明する。図４は、図３のフローチャートにおける、ハードディスクドライブ１６の残記録可能容量が足りない場合の警告画面の表示例である。
【００３４】
リモートコントロール装置２の表示部２１で、現在行っている操作画面の上に警告メッセージと選択肢を含むポップアップウィンドウ２１ａが表示される。本例の警告メッセージでは、メインメッセージとして、「ハードディスクの容量が足りません」と表示される。そして、サブメッセージとして、「ハードディスクの容量が不足するため、登録済みの予約が実行できなくなってしまいます。  下記の中から選択してください。」と表示され、ユーザに処理選択を促す選択肢ｓ１〜ｓ３が表示される。選択肢ｓ１は、「実行中の録画を中止する」、選択肢ｓ２は、「登録済みの予約を編集・消去する」、選択肢ｓ３は、「無視して録画を続ける」と表示され、ユーザは処理を選択する。ここで、予約登録済みの番組録画時に容量不足の警告メッセージが表示されることもあるが、録画している（予約実行中）番組の録画取消を行うことも可能である。
【００３５】
ここで、ユーザが、選択肢ｓ２の「登録済みの予約を編集・消去する」を選択すると、登録済み予約の編集・消去画面に遷移する。図５は、登録済み予約の編集・消去画面の表示例である。図５には、現在予約登録されている番組の一覧表として登録済み予約リストが表示される。
【００３６】
登録済み予約の編集・消去画面は、リモートコントロール装置２の表示部２１に表示される。登録済み予約の編集・消去画面における列ｃ１は、予約番号である。列ｃ２は、予約登録されている番組タイトルであり、列ｃ３は放送局チャンネル、列ｃ４は予約年月日、列ｃ５は録画開始時間、列ｃ６は録画終了時間、列ｃ７は記録モードであり、任意の番組について予約内容を編集することができる。そして、ボタンｃ８の「消去チェック」ボタンを選択し、ボタンｃ９の「決定」ボタンを押下すると、チェックされた番組の予約登録が消去される。この結果、図３のリモートコントロール装置２を用いた番組録画の処理例で算出される、全予約実行に必要な記録容量が減少し、ハードディスクドライブ１６の残記録容量が増加する。同様に、例えば、登録済み予約リストから記録時間（終了時間−開始時間）を短縮したり、記録モードを高画質モードから標準モードに落としたりすることで、全予約実行に必要な記録容量が減少し、ハードディスクドライブ１６の残記録容量を増加させることができる。
【００３７】
＜リムーバブルメディアを用いたファイルコピーの処理例＞
次に、リムーバブルメディア１９からＨＤＤレコーダ１にファイルコピー処理を行う場合のＨＤＤレコーダ１の処理例について、図６を参照して説明する。図６は、ＨＤＤレコーダ１を用いてリムーバブルメディア１９からファイルコピーを行う処理例を示したフローチャートである。
【００３８】
まず、ハードディスクドライブ１の表示部１１に、後述する図７の「リムーバブルメディアからのコピー」画面を表示させ、ユーザはコピーしたいコンテンツにチェックマークをつけ、「コピーする」ボタンを選択し（ステップＳＴ２１）、リムーバブルメディア１９からＨＤＤレコーダ１へのファイルコピー処理を開始する。
【００３９】
ＨＤＤレコーダ１は、リムーバブルメディア１９からコピーするコンテンツのファイル容量を取得する（ステップＳＴ２２）。そして、予約リスト管理部１６ｂから予約リストを取得し（ステップＳＴ２３）、以下の計算式により全予約を実行するために必要な記録容量を求める（ステップＳＴ２４）
各予約の必要記録容量＝（各予約の記録時間）×（指定された記録モードの平均ビットレート）
全予約実行に必要な記録容量＝（各予約の必要記録容量の総和）
【００４０】
そして、ステップＳＴ２２で取得したリムーバブルメディア１９からコピーするファイル容量を考慮し、以下の計算式により必要記録容量を求める（ステップＳＴ２５）。
必要記録容量＝（全予約実行に必要な記録容量）＋（リムーバブルメディア１９からコピーするファイル容量）
【００４１】
そして、現在のハードディスクドライブ１６の残容量と、計算した必要記録容量を比較する（ステップＳＴ２６）。ハードディスクドライブ１６の残容量が、全予約実行に必要な記録容量以下の場合は、残容量不足のメッセージをＨＤＤレコーダ１の表示部１１に表示させる（ステップＳＴ２８）。このとき、表示部１１には、後述する図８の警告メッセージが表示され、ユーザは所定の対応を選択する（ステップＳＴ２９）。
【００４２】
「ファイルコピーを中止する」を選択する（ステップＳＴ３０）と、録画処理は中止される。「登録済みの予約を編集・消去する」を選択する（ステップＳＴ３１）と、予約リストを表示させ、登録済みの予約について記録モードを落としたり、記録時間を短くする編集操作、予約を取り消す消去操作を行ってファイルコピー処理に必要な記録容量を増加させる。「無視してコピーを開始」を選択する（ステップＳＴ３２）と、ファイルコピー処理自体は開始するが、ハードディスクドライブ１６の残容量は減少していくため、ファイルコピー処理は途中で中断してしまう。一方、ハードディスクドライブ１６の現在の残容量が、全予約実行に必要な記録容量より大きい場合はファイルコピー処理を開始する（ステップＳＴ２７）。
【００４３】
次に、リムーバブルメディアを用いたファイルコピーの処理において、コピーするコンテンツを選択する画面表示例について、図７を参照して説明する。図７は、図６のフローチャートにおける、リムーバブルメディア１９からのファイルコピー処理を行う場合のコンテンツ選択画面の表示例である。
【００４４】
コンテンツ選択画面は、ＨＤＤレコーダ１の表示部１１に表示される。コンテンツ選択画面の列ｃ１は、リムーバブルメディア１９に記録されているコンテンツ名であり、列ｃ２は記録時間、列ｃ３は記録方式、列ｃ４は記録日時の一覧形式で表示される。また、列ｃ５はオプションボタンであり、任意のコンテンツを指定することができる。そして、ボタンｃ６の「コピーする」ボタンを選択すると、ハードディスクドライブ１６へ列ｃ５で指定されたコンテンツをコピーすることができる。
【００４５】
さらに、リムーバブルメディアを用いたファイルコピーの処理において、ハードディスクドライブ１６の残容量が不足した場合の画面表示例について、図８を参照して説明する。図８は、図６のフローチャートにおける、ハードディスクドライブ１６の残記録可能容量が足りない場合の警告画面の表示例である。
【００４６】
ＨＤＤレコーダ１の表示部１１で、現在行っている操作画面の上に警告メッセージと選択肢を含むポップアップウィンドウ１１ａが表示される。本例の警告メッセージでは、メインメッセージとして、「ハードディスクの容量が足りません」と表示される。そして、サブメッセージとして、「ハードディスクの容量が不足するため、登録済みの予約が実行できなくなってしまいます。  下記の中から選択してください。」と表示され、ユーザに処理選択を促す選択肢Ｓ１〜Ｓ３が表示される。選択肢Ｓ１は、「コピーを中止し、選択画面に戻る」、選択肢Ｓ２は、「登録済みの予約を編集・消去する」、選択肢Ｓ３は、「無視してコピーを開始」と表示され、ユーザは処理を選択する。
【００４７】
ここで、ユーザが、選択肢Ｓ２の「登録済みの予約を編集・消去する」を選択すると、登録済み予約の編集・消去画面に遷移する。なお、登録済み予約の編集・消去画面は、図５と同様に表示されるため、表示内容、処理の詳細については省略する。ただし、登録済み予約の編集・消去画面は、ＨＤＤレコーダ１の表示部１１または、図示しないテレビジョン受像機等のディスプレイ部に表示される。この登録済み予約の編集・消去画面から任意の登録済みの予約の編集・消去を行って、ハードディスクドライブ１６の残記録容量を増加させることができる。
【００４８】
このようにして、番組の録画またはファイルのコピー処理時において、記録媒体の残容量が不足するような場合は、ユーザに対して通知を行い、対応を促すことが可能となった。
【００４９】
本発明の実施の形態によれば、記録媒体の容量を消費する操作を行う場合に、登録済みの予約に必要な記録容量を考慮した上でハードディスクドライブ１６の残記録容量を判定するため、予約実行時点で記録容量が足りなくなる事を事前に確認することが出来る。このため、ユーザは作業の続行、不必要な予約の取消などの判断を行う事が出来るようになり、予約実行時に必要な記録容量が不足して記録失敗する可能性を減少させることができるという効果がある。
【００５０】
また、記録媒体の容量を消費する操作を行う場合に、現在受信中の番組録画を指示するときなど、記録に必要な容量を事前に把握することができないことがある。しかしこのような場合であっても、登録済みの予約に必要な記録容量を算出した上で、記録媒体の容量を消費する操作に伴って継続的に残記録容量を判定できるため、必要な記録容量が不足して記録失敗する可能性を減少させることができるという効果がある。
【００５１】
また、ネットワーク経由等からユーザが意図しないタイミングで記録媒体の容量を消費する操作が行われることもある。このような場合、例えばＨＤＤレコーダ１の電源を入れた時、ＨＤＤレコーダ１とリモートコントロール装置２の通信が可能になった時、ユーザが記録可否の確認操作を行った時、ある時間ごとの一定周期といった所定のイベント発生タイミングでハードディスクドライブ１６の残容量を確認することで、残容量が不足する時に警告メッセージを表示させ、現在の処理を中止する等の対処を行うことが可能である。また、表示部１１または２１に常に残容量を数値、インジケータ等で表示させておくこともできる。このようにすることで、ユーザはいつでもハードディスクドライブ１６の残容量を把握することができ、必要な対応を行えるという効果がある。
【００５２】
なお、ハードディスクドライブ１６の残容量が少ない事を判定する処理としては、他にも考えられる。例えば、
・「現在の残容量−全予約実行に必要な記録容量」がハードディスクドライブ１６の全体容量の所定割合以下
・「現在の残容量−全予約実行に必要な記録容量」が所定時間の記録に必要となる容量以下
の場合がある。
このとき、例えばハードディスクドライブ１６の全体容量が残り５％以下、または記録可能時間が１時間未満になると警告メッセージを発し、ユーザに対応を促す。このように予め所定の数値を設定しておくことで、ハードディスクドライブ１６の残容量がある程度残った状態で、ユーザは録画またはファイルコピーの処理に対して、処理の中止、予約編集、予約消去等の対応を行うことができる。このため、ハードディスクドライブ１６の残容量が無くなるまでに時間猶予ができるという効果がある。
【００５３】
また、上述した実施の形態では、ネットワーク経由で通信を行う機能を持つＨＤＤレコーダ１１と、ネットワーク回線３経由でＨＤＤレコーダ１１に対して予約設定を行う事が可能なリモートコントロール装置２について説明したが、このような構成に限定する物ではなく、リモートコントロール装置２から事前に予約設定を行う事でコンテンツの録画や録音を行うことが可能な番組予約システムに適用してもよい。また、リモートコントロール装置として例えば、携帯電話端末、ＰＤＡ（Personal Digital（Data） Assistants）、コンピュータ装置等を用いても上述した実施の形態と同様の効果が得られる。
【００５４】
また、上述した実施の形態のリモートコントロール装置２の機能をＨＤＤレコーダ１に内蔵し、ＨＤＤレコーダ１が番組情報を取得し、ＨＤＤレコーダ１のユーザ・インタフェース（ＵＩ：User Interface）画面に番組表を表示して予約設定を行うようにしてもよい。また、ＨＤＤレコーダ１１の外部インタフェース部１７に接続したテレビジョン受像機等の外部表示装置に番組表を表示させ、リモートコントロール装置２で予約設定するようにしてもよい。また、リモートコントロール装置自体がＥＰＧ等の番組情報を取得し、ユーザはこの番組情報を選択することで予約設定することも出来る。また、リモートコントロール装置に番組を表すコード値を入力することで予約設定することも出来る。
【００５５】
また、リモートコントロール装置２にリムーバブルメディア２７を装着して、読み込んだデータをＨＤＤレコーダ１に送信することで、ファイルのコピー処理を行うことも可能である。このときも上述した実施の形態と同様に、コピーするファイル容量と全予約実行に必要な記録容量との和と、ハードディスクドライブ１６の現在の残容量とを比較し、残容量が不足すれば警告メッセージを表示させるようにすることができる。
【００５６】
また、上述した実施の形態では、ポップアップウィンドウ１１ａ，２１ａに、警告メッセージとその対応を文字表示するようにしたが、所定のマーク等を表示したり、警告音を発してユーザに注意喚起させるようにしてもよい。あるいは、ホームネットワークを構築した場合、サーバに予約リスト、警告メッセージ等を送出することで情報を一元管理し、また、サーバで編集した予約リストをＨＤＤレコーダに送出するようにしてもよい。
【００５７】
また、上述した実施の形態では、テレビジョン放送の録画予約について説明したが、ラジオ放送やインターネット番組の記録に用いるようにしてもよい。事前に受信可能な番組の長さが分かれば必要記録容量と残容量を比較することができるため、適切な記録予約を行うことが可能である。
【００５８】
また、上述した実施の形態では、ＨＤＤレコーダを用いるようにしたが、ＨＤＤレコーダに限定されることなく、同様の記録機能を有する装置に適用してもよい。この場合、記録媒体についてもハードディスクドライブ以外に、例えば不揮発性のメモリ、光ディスク、磁気ディスク、磁気テープ等に記録するようにしてもよい。また、ネットワーク経由で外部に接続した記録装置に番組の記録、ファイルコピーを行うようにしてもよい。
【００５９】
また、上述した実施の形態では、ネットワーク回線３を有線としており、ＨＤＤレコーダ１とリモートコントロール装置２とを有線接続として説明したが、赤外線による双方向通信やアドホックによる機器間通信を利用することでも実現可能である。また、無線通信によるネットワークや双方向の光通信、赤外線通信等で情報を相互に通信可能であれば伝送手段種別を特定するものではない。また、例えばＲＳ−２３２ＣやＵＳＢ（Universal Serial Bus）等の機器間通信手段を利用しても実現する事が可能である。
【図面の簡単な説明】
【００６０】
【図１】本発明の一実施の形態における番組予約システムの内部構成例を示したブロック図である。
【図２】本発明の一実施の形態における番組予約システムの機能構成例を示したブロック図である。
【図３】本発明の一実施の形態におけるリモートコントロール装置による番組録画指示の処理例を示したフローチャートである。
【図４】本発明の一実施の形態における残記録可能容量不足の警告画面の表示例を示した説明図である。
【図５】本発明の一実施の形態における登録済み予約の編集・消去画面の表示例を示した説明図である。
【図６】本発明の一実施の形態におけるリムーバブルメディアからのファイルコピーの処理例を示したフローチャートである。
【図７】本発明の一実施の形態におけるコピー画面（コンテンツ選択）の表示例を示した説明図である。
【図８】本発明の一実施の形態におけるコピー画面（容量不足警告）の表示例を示した説明図である。明図である。
【符号の説明】
【００６１】
１…ＨＤＤレコーダ、２…リモートコントロール装置、１１…表示部、１１ａ…ポップアップウィンドウ、１２…操作部、１３…マイクロコンピュータ、１３ａ…記録管理部、１３ｂ…コマンド・ステータス処理部、１４…ネットワークインタフェース部、１５…メモリ、１６…ハードディスクドライブ、１６ａ…コンテンツ管理部、１６ｂ…予約リスト管理部、１７…チューナ、１８…エンコード部、１９…リムーバブルメディア、２０…リムーバブルメディアインタフェース部、２１…表示部、２１ａ…ポップアップウィンドウ、２２…キー入力受付部、２３…マイクロコンピュータ、２３ａ…表示・入力処理部、２３ｂ…コマンド・ステータス処理部、２４…ネットワークインタフェース部、２５…メモリ、ｓ１〜ｓ３，Ｓ１〜Ｓ３…選択肢
【図１】
2007124260.tif 000003
【図２】
2007124260.tif 000004
【図３】
2007124260.tif 000005
【図４】
2007124260.tif 000006
【図５】
2007124260.tif 000007
【図６】
2007124260.tif 000008
【図７】
2007124260.tif 000009
【図８】
2007124260.tif 000010